(57)【要約】【課題】片手で容易に操作することができ、従来の問題点を改善するテーブルチェア固定構造を提供する。【解決手段】テーブルチェア固定構造は、テーブルチェア１、挟持アセンブリ２及び補助杆３を備える。テーブルチェア１は、フレーム１１、支持杆１２及び滑り止めブロック１３を有する。フレーム１１は、Ｕ字状であり、両側端に支持杆１２がそれぞれ配設される。支持杆１２の前端には、滑り止めブロック１３が設けられる。２つの支持杆１２には、挟持アセンブリ２の固定杆２１がそれぞれ下方へ延設される。挟持アセンブリ２は、固定杆２１、接続ベース２２、貫通孔、位置規制スリーブ、リードスクリュー２５及び位置決め部材２６を有する。固定杆２１は、支持杆１２の下方へ配設されるとともに、接続ベース２２が接続された底端を有する。【選択図】図１
0003189595.tif 000002
【実用新案登録請求の範囲】
【請求項１】
テーブルチェア、挟持アセンブリ及び補助杆を備えたテーブルチェア固定構造であって、
前記テーブルチェアは、フレーム、支持杆及び滑り止めブロックを有し、フレームは、Ｕ字状であり、両側端に支持杆がそれぞれ配設され、支持杆の前端には、滑り止めブロックが設けられ、２つの支持杆には、挟持アセンブリの固定杆がそれぞれ下方へ延設され、
前記挟持アセンブリは、固定杆、接続ベース、貫通孔、位置規制スリーブ、リードスクリュー及び位置決め部材を有し、固定杆は、支持杆の下方へ配設されるとともに、接続ベースが接続された底端を有し、接続ベースの他方の端部には、補助杆が接続され、接続ベースの頂部は、下方へ向かって形成された貫通孔を有し、貫通孔の下方には、中空状の位置規制スリーブが形成され、位置規制スリーブの両外側には、位置規制嵌合槽が形成され、位置規制スリーブ内には、ネジ山を有するリードスクリューが挿設され、ネジ山は、下斜め前方に傾斜した一方向ねじであり、リードスクリューの上端は貫通孔から突出され、リードスクリューの上端には、リードスクリュー滑り止めパッドが外嵌され、リードスクリュー滑り止めパッドは、滑り止めブロックの下方に位置し、接続ベースの両側には、位置決め部材がそれぞれ枢着され、位置決め部材には、位置決め嵌合ブロックが内方へ形成され、位置決め嵌合ブロック上には、弾性部材が嵌合され、弾性部材の他端が位置規制嵌合槽内に嵌合され、２つの位置決め部材には、弾性を有する挟持力によりリードスクリューの外周が挟持され、位置決め部材には、弧形凹溝が凹設され、弧形凹溝には、上斜め前方に傾斜する複数の位置決めネジ部が外方へ突設され、位置決めネジ部はリードスクリューのネジ山と噛合して位置決めネジ部がネジ山から外れることを防ぎ、
前記補助杆は、杆体及び補助スリーブを有し、杆体は、接続ベースの外端に接続され、杆体は、上方へ折り曲げられて補助スリーブが嵌合され、補助スリーブの一側には、長孔が形成され、長孔の下端には、側方側へ延びる側孔が形成され、補助スリーブの上端には、補助滑り止めブロックが嵌合され、杆体の外端には、バンプが突設され、バンプは、長孔及び側孔内で自在に摺動することを特徴とするテーブルチェア固定構造。
【請求項２】
挟持アセンブリの位置決め嵌合ブロックは、位置決め部材の下端に位置することを特徴とする請求項１に記載のテーブルチェア固定構造。
【請求項３】
挟持アセンブリの孤形凹溝は、位置決め部材の上端に位置することを特徴とする請求項１に記載のテーブルチェア固定構造。
【考案の詳細な説明】
【技術分野】
【０００１】
本考案は、テーブルチェア（テーブル取付け式チェア）固定構造に関し、特に、テーブルの端部に挟持させて乳幼児が食事するときに使用するテーブルチェア固定構造に関する。
【背景技術】
【０００２】
市販されている一般の乳幼児用のテーブルチェアは、それが有する挟持構造によりダイニングテーブル又は一般のテーブルの縁部へテーブルチェアを挟持させることができるため、乳幼児へ食事を与える父母にとって便利であった。しかし、従来の乳幼児のテーブルチェアは、両側端に挟持構造がそれぞれ設けられていたため、ユーザがテーブルチェアの側端のうちの一つの挟持構造を操作し、テーブルの縁部へ挟持構造を固定させる際、両手を使用する必要があった。
【０００３】
従来のテーブルチェアは、側端の挟持構造を利用する際、両手を用いて操作しなければテーブルの縁部へ取り付けることができない上、従来の乳幼児用テーブルチェアは、挟持構造が故障した場合に地面に直接落下することがあり、一般に補助湾曲杆を有し、この補助湾曲杆は長さを調整することができない管体であるため、テーブルチェアをテーブルに取り付ける際、スムーズに取り付けることができなくなることがあり、改良が求められていた。
【考案の概要】
【考案が解決しようとする課題】
【０００４】
本考案の目的は、片手で容易に操作することができ、従来の問題点を改善するテーブルチェア固定構造を提供することにある。
【図面の簡単な説明】
【０００５】
【図１】本考案の一実施形態に係るテーブルチェア固定構造を示す斜視図である。
【図２】本考案の一実施形態に係るテーブルチェア固定構造の挟持アセンブリを示す分解斜視図である。
【図３】本考案の一実施形態に係るテーブルチェア固定構造の接続ベースを示す断面図である。
【図４】本考案の一実施形態に係るテーブルチェア固定構造の補助スリーブを引っ張り上げるときの状態を示す動作図である。
【図５】本考案の一実施形態に係るテーブルチェア固定構造のバンプを側孔へ挿通させたときの状態を示す動作図である。
【図６】本考案の一実施形態に係るテーブルチェア固定構造のリードスクリューを押し上げるときの状態を示す動作図である。
【図７】本考案の一実施形態に係るテーブルチェア固定構造の締付け度を調整するときの状態を示す動作図である。
【図８】本考案の一実施形態に係るテーブルチェア固定構造のリードスクリューの挟持を解除するときの状態を示す動作図である。
【図９】本考案の一実施形態に係るテーブルチェア固定構造を厚めのテーブルへ挟持させるときの状態を示す動作図である。
【考案を実施するための形態】
【０００６】
以下、本考案の実施形態について図に基づいて説明する。なお、これによって本考案が限定されるものではない。
【０００７】
図１を参照する。図１に示すように、本考案の一実施形態に係るテーブルチェア固定構造は、テーブルチェア１、挟持アセンブリ２及び補助杆３を含む。
【０００８】
テーブルチェア１は、フレーム１１、支持杆１２及び滑り止めブロック１３を含む。フレーム１１は、Ｕ字状であり、両側端に支持杆１２がそれぞれ配設されている。支持杆１２の前端には、テーブルの上表面に押圧される滑り止めブロック１３が設けられている。２つの支持杆１２には、挟持アセンブリ２の固定杆２１がそれぞれ下方へ延設されている。フレーム１１上には、乳幼児を座らせる椅子が設けられている。
【０００９】
図１に図２を併せて参照する。本実施形態の挟持アセンブリ２は、固定杆２１、接続ベース２２、貫通孔２３、位置規制スリーブ２４、リードスクリュー２５及び位置決め部材２６を含む。固定杆２１は、支持杆１２の下方へ形成されるとともに、接続ベース２２が接続された底端を有する。接続ベース２２の他方の端部には、補助杆３が接続され、接続ベース２２の頂部は、下方へ向かって形成された貫通孔２３を有する。貫通孔２３の下方には、中空状の位置規制スリーブ２４が形成され、位置規制スリーブ２４の両外側には、位置規制嵌合槽２４１が形成され、位置規制スリーブ２４内には、ネジ山２５１を有するリードスクリュー２５が挿設される。ネジ山２５１は、下斜め前方に傾斜した一方向ねじである。リードスクリュー２５の上端には、貫通孔２３から突出されてリードスクリュー滑り止めパッド２５２が外嵌されている。リードスクリュー滑り止めパッド２５２は、滑り止めブロック１３の下方に位置し、図３に示すように、接続ベース２２の両側には、位置決め部材２６がそれぞれ枢着されている。位置決め部材２６の下端には、位置決め嵌合ブロック２６１が形成されている。位置決め嵌合ブロック２６１上には、弾性部材２６２が嵌合され、弾性部材２６２の他端が位置規制嵌合槽２４１内に嵌合され、２つの位置決め部材２６の上端には、弾性を有する挟持力によりリードスクリュー２５の外周が挟持される。位置決め部材２６の上端には、弧形凹溝２６３が凹設されている。弧形凹溝２６３には、上斜め前方に傾斜する複数の位置決めネジ部２６４が外方へ突設され、位置決めネジ部２６４がリードスクリュー２５のネジ山２５１と噛み合わされ、リードスクリュー２５が押し上げられ、位置決めを行う。
【００１０】
補助杆３は、杆体３１及び補助スリーブ３２を含む。杆体３１は、接続ベース２２の外端に接続されている。杆体３１は、上方へ折り曲げられて補助スリーブ３２が嵌合されている。補助スリーブ３２の一側には、長孔３２１が形成されている。長孔３２１の下端には、側方側へ延びる側孔３２２が形成され、補助スリーブ３２の上端には、補助滑り止めブロック３２３が嵌合されている。杆体３１の外端には、バンプ３１１が突設されている。バンプ３１１は、長孔３２１及び側孔３２２内で自在に摺動する。
【００１１】
図４を参照する。図４に示すように、本考案のテーブルチェア固定構造を実際に使用する際、ユーザは、テーブル４上でテーブルチェア１を位置決めし、まず、フレーム１１の２つの支持杆１２を滑り止めブロック１３を介してテーブル４の上表面へ押圧させる。補助スリーブ３２は、テーブル４の厚さに応じて高さを自在に調整することができる。補助スリーブ３２を引っ張り上げると、図５に示すように、バンプ３１１が側孔３２２へ挿通され、補助スリーブ３２により高さを調整してテーブル４の下表面へ当接させ、支持杆１２及び補助スリーブ３２によりテーブルチェア１を挟持して位置決めを行う。
【００１２】
図６を参照する。図６に示すように、ユーザが実際に挟持アセンブリ２を操作する際、リードスクリュー２５のネジ山２５１が下斜め前方に傾斜した一方向ねじであり、位置決めネジ部２６４が上斜め前方に傾斜した形状であるため、リードスクリュー２５を押し上げると、位置決めネジ部２６４がネジ山２５１と噛合されなくなり、リードスクリュー２５を直接押し上げてテーブル４の下表面に当接され、支持杆１２、補助スリーブ３２及びリードスクリュー２５の３点により挟持し、テーブル４の縁部にテーブルチェア１が堅牢に固定される。
【００１３】
図７を参照する。図７に示すように、ユーザがリードスクリュー２５とテーブル４との間の締付け度を調整する場合、ユーザはリードスクリュー２５を順方向又は逆方向へ回転させ、リードスクリュー２５によりネジ山２５１と位置決めネジ部２６４とを噛合させて上下方向の微調整を行う。
【００１４】
図８を参照する。図８に示すように、リードスクリュー２５の挟持効果を解除する場合、ユーザが２つの位置決め部材２６を片手で内方へ押圧すると、位置決め部材２６上端の位置決めネジ部２６４がネジ山２５１から外れてリードスクリュー２５が直接滑り落ちる。
【００１５】
図９を参照する。図９に示すように、厚さが大き目のテーブル４の縁部へテーブルチェア１を挟持させる場合、ユーザが補助スリーブ３２を押し下げてから、長孔３２１の最上端へバンプ３１１を係合させ、テーブル４の下表面へ補助スリーブ３２を当接させ、支持杆１２、補助スリーブ３２及びリードスクリュー２５の３点により、厚さが大き目のテーブル４へテーブルチェア１を挟持させることができる。
【００１６】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００１７】
１      テーブルチェア
２      挟持アセンブリ
３      補助杆
４      テーブル
１１    フレーム
１２    支持杆
１３    滑り止めブロック
２１    固定杆
２２    接続ベース
２３    貫通孔
２４    位置規制スリーブ
２５    リードスクリュー
２６    位置決め部材
３１    杆体
３２    補助スリーブ
２４１  位置規制嵌合槽
２５１  ネジ山
２５２  リードスクリュー滑り止めパッド
２６１  位置決め嵌合ブロック
２６２  弾性部材
２６３  弧形凹溝
２６４  位置決めネジ部
３１１  バンプ
３２１  長孔
３２２  側孔
３２３  補助滑り止めブロック
【図１】
0003189595.tif 000003
【図２】
0003189595.tif 000004
【図３】
0003189595.tif 000005
【図４】
0003189595.tif 000006
【図５】
0003189595.tif 000007
【図６】
0003189595.tif 000008
【図７】
0003189595.tif 000009
【図８】
0003189595.tif 000010
【図９】
0003189595.tif 000011